(57)【要約】【課題】操作ユニット付き電機装置において、コネクタ個数の削減（コストダウン）と、コネクタ接触不良箇所の低減（品質向上）を図り、併せて小型化設計を可能にすること。【解決手段】プリント配線基板に実装されるＬＡＮ回線用コネクタ３０であって、プリント配線基板１２に接続される基板接続端子部３１と、オス形ＬＡＮ回線用コネクタ３２と、メス形ＬＡＮ回線用コネクタ３３とを一体型に成形する。【選択図】図４
2008277208.tif 000002
【特許請求の範囲】
【請求項１】
プリント配線基板に実装されるＬＡＮ回線用コネクタであって、
プリント配線基板に接続される基板接続端子部と、オス形ＬＡＮ回線用コネクタと、メス形ＬＡＮ回線用コネクタとを一体型に成形したことを特徴とするＬＡＮ回線用コネクタ。
【請求項２】
前記基板接続端子部と前記オス形ＬＡＮ回線用コネクタとメス形ＬＡＮ回線用コネクタの端子ピンが、各極性のもの毎に、一つの連続した導体を電気絶縁性の樹脂にインサート成形したものにより構成されていることを特徴とする請求項１に記載のＬＡＮ回線用コネクタ。
【請求項３】
底面部に前記基板接続端子部が形成され、前記オス形ＬＡＮ回線用コネクタは前記基板接続端子部とは反対の上面部に形成され、前記基板接続端子部と前記オス形ＬＡＮ回線用コネクタとの間に設けられた傾斜面部に前記メス形ＬＡＮ回線用コネクタが形成されていることを特徴とする請求項１または２に記載のＬＡＮ回線用コネクタ。
【請求項４】
装置本体にＬＡＮ接続の操作ユニットが取り外し可能に装着される操作ユニット付き電機装置であって、
プリント配線基板接続用の基板接続端子部と、オス形ＬＡＮ回線用コネクタと、メス形ＬＡＮ回線用コネクタとを一体型に成形されたＬＡＮ回線用コネクタが前記装置本体内に設置されたプリント配線基板に実装され、
前記操作ユニットには前記ＬＡＮ回線用コネクタの前記オス形ＬＡＮ回線用コネクタに着脱可能に係合するメス形ＬＡＮ回線用コネクタが設けられ、
前記操作ユニットが前記装置本体に装着されることにより、当該操作ユニットの前記メス形ＬＡＮ回線用コネクタが前記ＬＡＮ回線用コネクタの前記オス形ＬＡＮ回線用コネクタと係合し、
前記操作ユニットが前記装置本体より取り外された状態では、前記ＬＡＮ回線用コネクタのメス形ＬＡＮ回線用コネクタと前記操作ユニットの前記メス形ＬＡＮ回線用コネクタとがオス−オス形コネクタ付きＬＡＮ回線用ケーブルによって接続されることを特徴とする操作ユニット付き電機装置。
【発明の詳細な説明】
【技術分野】
【０００１】
本発明は、ＬＡＮ回線用コネクタおよび操作ユニット付き電機装置に関し、特に、装置本体にＬＡＮ接続の操作ユニットが取り外し可能に装着される操作ユニット付き電機装置に用いられるＬＡＮ回線用コネクタおよび操作ユニット付き電機装置に関するものである。
【背景技術】
【０００２】
インバータ方式の電源装置や無停電装置等の電機装置には、装置本体と操作部（操作ユニット）とが別体で、リモート操作のために、装置本体より操作部を取り外し可能で、装置本体と操作部とがＬＡＮ接続されるものがある。このような操作ユニット付き電機装置では、装置本体と操作部とは、ＬＡＮ回線用コネクタによって着脱可能にＬＡＮ接続される。
【０００３】
従来の操作ユニット付き電機装置では、装置本体側にメス形コネクタ、操作部側にメス形コネクタを使用し、オス−オス形コネクタ付ケーブル、または、オス−オス形コネクタによって接続するように構成されている。
【０００４】
ＬＡＮ回線用コネクタとしては、電話回線用のモジュラジャックとＬＡＮ回線用のモジュラジャックとを一体に有する複合型のモジュラジャックがある（例えば、特許文献１）
。
【特許文献１】特開２００１−２０３０４３号公報
【発明の開示】
【発明が解決しようとする課題】
【０００５】
従来の操作ユニット付き電機装置では、装置本体側にメス形コネクタ、操作部側にメス形コネクタを使用し、オス−オス形コネクタ付ケーブル、または、オス−オス形コネクタによって接続するように構成されているため、接続用の部品が必要で、通常接続部が２箇所のため、コネクタの接触不良になる可能性の部位が増える欠点がある。
【０００６】
また、装置本体側にメス形コネクタ、操作部側にオス形コネクタを設け、直接接続できるように構成する場合は、操作部を延長する際（遠隔操作）に、延長ケーブルを接続できるメス形コネクタを別途設ける必要があり、コネクタ個数が増える欠点がある。
【０００７】
また、装置本体側に、メス形コネクタとオス形コネクタとをそれぞれ個別に設けると、プリント配線基板におけるコネクタ占有面積が大きくなり、プリント配線基板の小型化、装置本体の小型化が難しくなる。
【０００８】
本発明が解決しようとする課題は、操作ユニット付き電機装置において、コネクタ個数の削減（コストダウン）と、コネクタ接触不良箇所の低減（品質向上）を図り、併せて小型化設計を可能にすることである。
【課題を解決するための手段】
【０００９】
本発明によるＬＡＮ回線用コネクタは、プリント配線基板に実装されるＬＡＮ回線用コネクタであって、プリント配線基板に接続される基板接続端子部と、オス形ＬＡＮ回線用コネクタと、メス形ＬＡＮ回線用コネクタとを一体型に成形したことを特徴としている。
【００１０】
本発明によるＬＡＮ回線用コネクタは、好ましくは、前記基板接続端子部と前記オス形ＬＡＮ回線用コネクタとメス形ＬＡＮ回線用コネクタの端子ピンが、各極性のもの毎に、一つの連続した導体を電気絶縁性の樹脂にインサート成形したものにより構成されている。
【００１１】
本発明によるＬＡＮ回線用コネクタは、好ましくは、底面部に前記基板接続端子部が形成され、前記オス形ＬＡＮ回線用コネクタは前記基板接続端子部とは反対の上面部に形成され、前記基板接続端子部と前記オス形ＬＡＮ回線用コネクタとの間に設けられた傾斜面部に前記メス形ＬＡＮ回線用コネクタが形成されている。
【００１２】
本発明による操作ユニット付き電機装置は、装置本体にＬＡＮ接続の操作ユニットが取り外し可能に装着される操作ユニット付き電機装置であって、プリント配線基板接続用の基板接続端子部と、オス形ＬＡＮ回線用コネクタと、メス形ＬＡＮ回線用コネクタとを一体型に成形されたＬＡＮ回線用コネクタが前記装置本体内に設置されたプリント配線基板に実装され、前記操作ユニットには前記ＬＡＮ回線用コネクタの前記オス形ＬＡＮ回線用コネクタに着脱可能に係合するメス形ＬＡＮ回線用コネクタが設けられ、前記操作ユニットが前記装置本体に装着されることにより、当該操作ユニットの前記メス形ＬＡＮ回線用コネクタが前記ＬＡＮ回線用コネクタの前記オス形ＬＡＮ回線用コネクタと係合し、前記操作ユニットが前記装置本体より取り外された状態では、前記ＬＡＮ回線用コネクタのメス形ＬＡＮ回線用コネクタと前記操作ユニットの前記メス形ＬＡＮ回線用コネクタとがオス−オス形コネクタ付きＬＡＮ回線用ケーブルによって接続されることを特徴としている。
【発明の効果】
【００１３】
本発明によるＬＡＮ回線用コネクタは、基板接続端子部とオス形ＬＡＮ回線用コネクタとメス形ＬＡＮ回線用コネクタとを一体型に成形されているから、コネクタ個数の削減よるコストダウン、占有面積削減による小型化、コネクタ接触不良箇所の低減よる品質向上の利点がある。
【発明を実施するための最良の形態】
【００１４】
本発明によるＬＡＮ回線用コネクタおよびそれを用いた操作ユニット付き電機装置の一つの実施形態を、図１〜図５を参照して説明する。
【００１５】
本実施形態の操作ユニット付き電機装置は、電源装置であり、電源装置本体１０と、電源装置本体１０に取り外し可能にＬＡＮ接続される操作ユニット２０を有する。
【００１６】
電源装置本体１０は、本体ケーシング１１内に、ＬＡＮ回線用コネクタ３０を実装した装置本体側のプリント配線基板１２を有する。電源装置本体１０の本体ケーシング１１の表面部には操作ユニット２０が取り外し可能に嵌め込み設置される操作ユニット設置用凹部１３が形成されている。
【００１７】
操作ユニット２０は、操作ユニット設置用凹部１３に取り外し可能に嵌め込み装着される薄箱形をしており、表面部に、操作ダイヤル２１、カウンタ２２、液晶表示部２３を有する。操作ユニット２０の底面部にはメス形ＬＡＮ回線用コネクタ２４が取り付けられている。
【００１８】
ＬＡＮ回線用コネクタ３０は、プリント配線基板１２に接続される基板接続端子部３１と、オス形ＬＡＮ回線用コネクタ３２と、メス形ＬＡＮ回線用コネクタ３３とで一体型に成形されたものであり、底面部３４に基板接続端子部３１を、基板接続端子部３１とは反対の上面部３５に凸形状の状のオス形ＬＡＮ回線用コネクタ３２を、基板接続端子部３１とオス形ＬＡＮ回線用コネクタ３２との間に設けられた傾斜面部３６に凹形状のメス形ＬＡＮ回線用コネクタ３３を有する。
【００１９】
基板接続端子部３１とオス形ＬＡＮ回線用コネクタ３２とメス形ＬＡＮ回線用コネクタ３３の各部の端子ピン３１Ａ、３２Ａ、３３Ａは、各極性のもの毎に、一つの連続した導体３７により構成されており、ＬＡＮ回線用コネクタ３０は、導電性材料による複数個の導体３７を電気絶縁性の樹脂３８に一体的にインサート成形したものである。
【００２０】
なお、オス形ＬＡＮ回線用コネクタ３２はプラグに対応するものであり、メス形ＬＡＮ回線用コネクタ３３はソケットに対応するものである。
【００２１】
ＬＡＮ回線用コネクタ３０の上面部３５にあるオス形ＬＡＮ回線用コネクタ３２と、傾斜面部３６にあるメス形ＬＡＮ回線用コネクタ３３は、本体ケーシング１１の操作ユニット設置用凹部１３の底部に明けられた開口１４に対応する位置にあり、開口１４より操作ユニット設置用凹部１３の底部に露呈している。
【００２２】
操作ユニット２０は、電源装置本体１０の操作ユニット設置用凹部１３に嵌め込まれることにより、メス形ＬＡＮ回線用コネクタ２４がＬＡＮ回線用コネクタ３０のオス形ＬＡＮ回線用コネクタ３２と係合する。これにより、操作ユニット２０は電源装置本体１０の操作ユニット設置用凹部１３に嵌め込まれるだけで、電源装置本体１０内のプリント配線基板１２と電気的に接続される。
【００２３】
遠隔操作等のために、操作ユニット２０を電源装置本体１０より取り外して使用する場合には、電源装置本体１０のＬＡＮ回線用コネクタ３０のメス形ＬＡＮ回線用コネクタ３３と操作ユニット２０のメス形ＬＡＮ回線用コネクタ２４とを、市販されている一般的なオス−オス形コネクタ付きＬＡＮ回線用ケーブルによって接続する。
【００２４】
このように、操作ユニット２０を電源装置本体１０上で使用する場合には、電源装置本体１０のＬＡＮ回線用コネクタ３０のオス形ＬＡＮ回線用コネクタ３１を使用して操作ユニット２０をＬＡＮ接続し、操作ユニット２０を電源装置本体１０から取り外し遠隔操作する場合には、電源装置本体１０のＬＡＮ回線用コネクタ３０のメス形ＬＡＮ回線用コネクタ３２を使用して操作ユニット２０をＬＡＮ接続する。
【００２５】
上述したように、電源装置本体１０に組み込まれるＬＡＮ回線用コネクタ３０は、基板接続端子部３１とオス形ＬＡＮ回線用コネクタ３２とメス形ＬＡＮ回線用コネクタ３３とを一体型に成形されているから、このＬＡＮ回線用コネクタ３０は、プリント配線基板１２に直接実装されて、コネクタ個数の削減よるコストダウン、占有面積削減による小型化、コネクタ接触不良箇所の低減よる品質向上の図ることができる。
【図面の簡単な説明】
【００２６】
【図１】本発明による操作ユニット付き電機装置の一つの実施形態の操作ユニット取付状態の装置本体の斜視図である。
【図２】本発明による操作ユニット付き電機装置の一つの実施形態の操作ユニット取り外し状態の装置本体の斜視図である。
【図３】一つの実施形態による操作ユニット付き電機装置の要部の斜視図である。
【図４】本発明によるＬＡＮ回線用コネクタの一つの実施形態を示す拡大斜視図である。
【図５】一つの実施形態によるＬＡＮ回線用コネクタの要部の断面部を示す拡大斜視図である。
【符号の説明】
【００２７】
１０  電源装置本体
１１  本体ケーシング
１２  プリント配線基板
１３  操作ユニット設置用凹部
１４  開口
２０  操作ユニット
２１  操作ダイヤル
２２  カウンタ
２３  液晶表示部
３０  ＬＡＮ回線用コネクタ
３１  基板接続端子部
３２  オス形ＬＡＮ回線用コネクタ
３３  メス形ＬＡＮ回線用コネクタ
３４  底面部
３５  上面部
３６  傾斜面部
【図１】
2008277208.tif 000003
【図２】
2008277208.tif 000004
【図３】
2008277208.tif 000005
【図４】
2008277208.tif 000006
【図５】
2008277208.tif 000007